(57)【要約】【課題】より大幅なトナー抑制率に対応可能で且つ画質の劣化を極力抑えた画像形成装置を提供する。【解決手段】カラー画像形成装置は，黒を含む複数色のカラー画像データの入力階調値から画像再生データを生成する画像処理ユニットと，画像再生データに基づいてカラー画像データの画像を黒を含む複数色のトナーを利用して形成する印刷エンジンとを有する。そして，画像処理ユニットは，トナーセーブモード時において，黒以外の複数色の入力階調値を一律に通常時に比較して第１の抑制率で減少した抑制階調値に変換し，黒の入力階調値を前記第１の抑制率よりも小さい第２の抑制率で減少した抑制階調値に変換する階調変換部を有する。【選択図】図２
2008129110.tif 000002
【特許請求の範囲】
【請求項１】
黒を含む複数色のトナーを利用してカラー画像を形成するカラー画像形成装置において，
黒を含む複数色のカラー画像データの入力階調値から画像再生データを生成する画像処理ユニットと，
前記画像再生データに基づいて前記カラー画像データの画像を前記黒を含む複数色のトナーを利用して形成する印刷エンジンとを有し，
前記画像処理ユニットは，トナーセーブモード時において，前記黒以外の複数色の入力階調値を一律に通常時に比較して第１の抑制率で減少した抑制階調値に変換し，前記黒の入力階調値を前記第１の抑制率よりも小さい第２の抑制率で減少した抑制階調値に変換する階調変換部を有することを特徴とするカラー画像形成装置。
【請求項２】
黒を含む複数色のトナーを利用してカラー画像を形成するカラー画像形成装置において，
黒を含む複数色のカラー画像データの入力階調値から画像再生データを生成する画像処理ユニットと，
前記画像再生データに基づいて前記カラー画像データの画像を前記黒を含む複数色のトナーを利用して形成する印刷エンジンとを有し，
画像処理ユニットは，第１のトナーセーブモード時において，前記黒以外の複数色の入力階調値を一律に通常時に比較して第１の抑制率で減少した抑制階調値に変換し，前記黒の入力階調値は減少させず，前記第１のトナーセーブモードよりもセーブ率が高い第２のトナーセーブモード時において，前記黒以外の複数色の入力階調値を一律に通常時に比較して前記第１の抑制率よりも大きい第２の抑制率で減少した抑制階調値に変換し，前記黒の入力階調値を前記第２の抑制率よりも小さい第３の抑制率で減少した抑制階調値に変換する階調変換部を有することを特徴とするカラー画像形成装置。
【請求項３】
請求項１または２において，
前記画像処理ユニットは，前記抑制階調値を前記画像再生データに変換するハーフトーン処理部と，形成する画像のエッジ部分をなめらかな形状にするスムージング処理部とを有し，
前記スムージング処理部は，前記抑制階調値が所定の閾値を超えている画素であって周囲の画素と比較して階調値が高い画素をエッジ部分の画素と判定してスムージング処理を行い，前記トナーセーブモード時において，前記所定の閾値を，前記黒の画像データと黒以外の複数色の画像データとについてそれぞれの抑制率に対応した低い閾値に設定することを特徴とするカラー画像形成装置。
【請求項４】
請求項１または２において，
前記階調変換部は，前記黒の入力階調値の抑制を，入力階調値が増大するに伴ってその抑制階調値が，リニアに単調増加する変換特性，上に凸な単調増加の変換特性，または下に凸な単調増加の変換特性のいずれかで行うことを特徴とするカラー画像形成装置。
【発明の詳細な説明】
【技術分野】
【０００１】
本発明は，プリンタ，複写機，ファックスなどの画像形成装置に関し，特に，トナーセーブモードを有するカラー画像形成装置に関する。
【背景技術】
【０００２】
カラー画像形成装置において，ドラフト印刷などの目的でトナーセーブモードが設けられている。トナーセーブモードに設定されると，通常時よりもトナー量を削減して現像が行われる。
【０００３】
以下の特許文献１には，トナーセーブモードの場合に，ＣＭＹＫの４色のトナーのうち，ＣＭＹの３色のトナーを同じ割合で抑制（減少）させ，Ｋ（ブラック）のトナーだけは通常時と同じ量に制御することが提案されている。ＣＭＹトナーのトナー抑制率を全て同じ割合で行っているので，ＣＭＹによる色相は変化せず彩度が低下するのみであり，画質が劣化しがたく，また，Ｋトナーを抑制しないことで，ＣＭＹＫ全てを一律に抑制する場合に比べて画像が鮮明になり締まった画質になるので，トナーセーブによる画質の劣化を抑制することができる。特許文献１によれば，トナーセーブモード時に，ＣＭＹトナーを約７０％程度一律に減少させ，Ｋトナーは減少させていない。
【特許文献１】特開２００４−３０９６６２号公報
【発明の開示】
【発明が解決しようとする課題】
【０００４】
近年，環境問題への対策やランニングコスト抑制のために，トナー消費量を従来よりも更に削減することが望まれている。従来，抑制率を２０〜３０％としてトナー量を通常時の７０〜８０％にすることが行われているが，更に，抑制率を５０％，８０％とすることが望まれている。
【０００５】
このようにトナー抑制率を大きくすると，上記の特許文献１によれば，ＣＭＹトナーが極端に抑制されるのに対してＫトナーは全く抑制されない。その結果，逆に形成された画像ではＫトナーのみが浮いてしまい，画像の見栄えが悪くなるという問題がある。
【０００６】
そこで，本発明の目的は，より大幅なトナー抑制率に対応可能で且つ画質の劣化を極力抑えた画像形成装置を提供することにある。
【課題を解決するための手段】
【０００７】
上記の目的を達成するために，本発明の第１の側面によれば，カラー画像形成装置は，黒を含む複数色のカラー画像データの入力階調値から画像再生データを生成する画像処理ユニットと，前記画像再生データに基づいて前記カラー画像データの画像を黒を含む複数色のトナーを利用して形成する印刷エンジンとを有する。そして，画像処理ユニットは，トナーセーブモード時において，前記黒以外の複数色の入力階調値を一律に通常時に比較して第１の抑制率で減少した抑制階調値に変換し，前記黒の入力階調値を前記第１の抑制率よりも小さい第２の抑制率で減少した抑制階調値に変換する階調変換部を有する。
【０００８】
上記の第１の側面によれば，黒以外の複数色のトナー量に加えて黒のトナー量も抑制することで，より大きなトナー抑制を可能とする。さらに，黒以外の複数色のトナー量を一律に第１の抑制率で減少させるので，自然画像の色相は変化せず彩度のみが減少し，黒のトナー量は第１の抑制率より小さい第２の抑制率で減少させるので，さらに黒のトナー量がＣＭＹのトナー量より多く使用されるので，画像の締まり（鮮明度）を維持しつつ黒トナーが浮き上がって画像の見栄えが悪くなるのを防止できる。
【０００９】
上記の目的を達成するために，本発明の第２の側面によれば，カラー画像形成装置は，黒を含む複数色のカラー画像データの入力階調値から画像再生データを生成する画像処理ユニットと，前記画像再生データに基づいて前記カラー画像データの画像を黒を含む複数色のトナーを利用して形成する印刷エンジンとを有する。そして，画像処理ユニットは，第１のトナーセーブモード時において，前記黒以外の複数色の入力階調値を一律に通常時に比較して第１の抑制率で減少した抑制階調値に変換し，前記黒の入力階調値は減少させず，前記第１のトナーセーブモードよりもセーブ率が高い第２のトナーセーブモード時において，前記黒以外の複数色の入力階調値を一律に通常時に比較して前記第１の抑制率よりも大きい第２の抑制率で減少した抑制階調値に変換し，前記黒の入力階調値を前記第２の抑制率よりも小さい第３の抑制率で減少した抑制階調値に変換する階調変換部を有する。
【００１０】
上記の第２の側面によれば，セーブ率が比較的小さい第１のトナーセーブモード時では，黒以外の複数色のトナー量のみを一律に減少させ，黒のトナー量は減少させない。そして，第１のトナーセーブモードよりもセーブ率が大きい第２のトナーセーブモード時では，黒以外の複数色のトナー量を第２のトナーセーブモードのセーブ率に対応する第２の抑制率で減少させることに加えて，黒のトナー量も減少させる。但し，黒のトナー量の抑制率は黒以外の複数色の第２の抑制率よりも少ない第３の抑制率にして，黒トナー不足による自然画像の不鮮明さ（締まりがなくなること）を防止する。
【００１１】
上記第１または第２の側面において好ましい態様によれば，画像処理ユニットは，前記抑制階調値を前記画像再生データに変換するハーフトーン処理部と，形成する画像のエッジ部分をなめらかな形状にするスムージング処理部とを有し，前記スムージング処理部は，前記抑制階調値が所定の閾値を超えている画素であって周囲の画素と比較して階調値が高い画素をエッジ部分の画素と判定してスムージング処理を行い，前記トナーセーブモード時において，前記所定の閾値を，前記黒の画像データと黒以外の複数色の画像データとについてそれぞれの抑制率に対応した低い閾値に設定することを特徴とする。
【００１２】
上記第１または第２の側面において好ましい態様によれば，階調変換部は，前記黒の入力階調値の抑制を，入力階調値が増大するに伴ってその抑制階調値が，リニアに単調増加する変換特性，上に凸な単調増加の変換特性，または下に凸な単調増加の変換特性のいずれかで行うことを特徴とする。
【発明を実施するための最良の形態】
【００１３】
以下，図面にしたがって本発明の実施の形態について説明する。但し，本発明の技術的範囲はこれらの実施の形態に限定されず，特許請求の範囲に記載された事項とその均等物まで及ぶものである。
【００１４】
図１は，本実施の形態におけるカラー画像形成装置の構成図である。カラー画像形成装置であるプリンタ２００は，ホストコンピュータ１００にネットワークなどの接続回線を介して接続される。プリンタ２００は，画像処理ユニットとして機能するプリンタコントローラ２１０と，印刷エンジン２５０とで構成される。
【００１５】
ホストコンピュータ１００にインストールされているプリンタドライバ１１０から，画像データを有するまたは画像データを生成するための印刷コマンドを有する印刷データが供給され，画像処理ユニット２１０内のインターフェース２１１がその印刷データを受信する。画像処理ユニット２１０全体を制御するＣＰＵ２１２が，印刷データから画像データを抽出し，または印刷データ内の印刷コマンドから画像データを生成し，メモリ２１３内にビットマップデータとして展開する。このビットマップデータは例えば各画素のＲＧＢの階調データである。
【００１６】
画像処理ユニット２１０は，メモリ２１３内に展開されたＲＧＢの階調データから印刷エンジンのトナー色に対応するＣＭＹＫの階調データに変換する色変換部２１４と，色変換部２１４が生成するＣＭＹＫの入力階調値をそれぞれ階調変換して階調値データＣ１，Ｍ１，Ｙ１，Ｋ１を生成する階調変換部２１５と，その階調値データＣ１，Ｍ１，Ｙ１，Ｋ１を所定のスクリーンテーブルを参照して印刷エンジンの画像形成に対応する画像再生データＣ２，Ｍ２，Ｙ２，Ｋ２を生成するハーフトーン処理部２１６と，その画像再生データをパルス幅変調するパルス幅変調器２１７とを有する。また，ハーフトーン処理部２１６は，印刷される画像のエッジ部を検出しエッジ部分の形状をスムーズにするスムージング処理部を内蔵する。
【００１７】
印刷エンジン２５０は，印刷エンジン内の各部材を制御するエンジンコントローラ２５１と，画像再生データをパルス幅変調したパルス信号に基づいて駆動させる発光手段２５２と，発光手段２５２からのビーム照射により潜像が形成される感光体ドラム２５３と，感光体ドラム２５３上に形成された潜像にトナーを供給する複数のトナーカートリッジ２６１〜２６４を有する現像ユニット２６０とを有する。それ以外に，図示しないが，感光体ドラム２５３上に形成されたトナー像を印刷媒体に転写する転写手段と，転写されたトナー像を定着させる定着手段とを有する。
【００１８】
印刷エンジン２５０は，ＣＭＹＫに対応するパルス信号に応じて感光体ドラム２５３上に潜像を形成し，トナーカートリッジ２６１〜２６４から対応する色のトナーを供給して潜像にトナー剤を付着してトナー画像を形成し，印刷媒体に４色のトナー画像を転写してカラー画像を形成する。１つの感光体ドラム２５３が設けられている場合は，４サイクルの感光，現像を繰り返してカラー画像を形成し，４つの感光体ドラムが設けられている場合は，４つの色のトナー画像をそれぞれに形成してカラー画像を形成する。
【００１９】
ハーフトーン処理部２１６は，４つのカラープレーンにおいて，入力階調値Ｃ１，Ｍ１，Ｙ１，Ｋ１を，ＡＭスクリーンやＦＭスクリーンによるルックアップテーブルを参照して，画像再生データＣ２，Ｍ２，Ｙ２，Ｋ２を生成する。また，ハーフトーン処理部内のスムージング処理部は，入力階調値Ｃ１，Ｍ１，Ｙ１，Ｋ１が所定の閾値を超える画素であり，且つ周囲の画素と所定の階調差を有する画素をエッジ部分の画素と判定し，そのエッジ部分の形状をスムーズにするためにドットを追加するための画像データを生成する。新たに生成された画像データの階調値もハーフトーン処理部により画像再生データに変換される。
【００２０】
階調変換部２１５は，ＣＰＵ２１２からの変換制御信号に応じて，所定の階調変換処理を行う。階調変換処理には，印刷エンジンの特性ばらつきや経年変化に伴って入力階調値に対する出力濃度が最適値からずれている場合に，最適値になるように入力階調値を補正する補正処理や，印刷ジョブにトナーセーブモードが指定されている場合に，入力階調値ＣＭＹＫをモードに対応した抑制率で階調値を減じるトナーセーブ処理などが含まれる。
【００２１】
［通常動作］
図２は，画像処理ユニットの階調変換部における通常動作時での階調変換特性を示す図である。階調変換部２１５は，変換特性ＣＮＶ１では，０〜２５５階調を有する２５６階調の入力階調値Ｃ，Ｍ，Ｙ，Ｋを，リニアな関係で０〜２５５階調の階調値Ｃ１，Ｍ１，Ｙ１，Ｋ１に変換する。変換特性ＣＮＶ２では，同様に２５６階調の入力階調値Ｃ，Ｍ，Ｙ，Ｋを２５６階調の階調値Ｃ１，Ｍ１，Ｙ１，Ｋ１に変換するが，その特性は，低階調値領域ではより高い階調値になり，高階調値領域では逆により低い階調値になる。たとえば，ＡＭスクリーンにおいて低階調値領域では画素内のドット面積が狭くなりトナーが付着しにくく画質の低下が予想されるので，より高めの階調値に変換され，高階調値領域では人間の目には鈍感であるのでやや低めの階調値に変換される。これら以外にも様々なノンリニアな変換特性が考えられる。
【００２２】
以下の説明では，簡単のために階調変換部の変換特性がＣＮＶ１を例にして，トナーセーブモードでの階調変換処理を説明する。
【００２３】
上記の通り，通常動作時においては，階調変換部２１５は，０〜２５５階調の入力階調値Ｃ，Ｍ，Ｙ，Ｋに対して０〜２５５階調の階調値Ｃ１，Ｍ１，Ｙ１，Ｋ１に変換する。そして，この階調値Ｃ１，Ｍ１，Ｙ１，Ｋ１による出力濃度が再現されるように，各色のトナーが使用される。したがって，２５５階調の入力階調値Ｃ，Ｍ，Ｙ，Ｋは，２５５階調の階調値Ｃ１，Ｍ１，Ｙ１，Ｋ１に変換され，ＡＭスクリーンの場合は，その２５５階調の出力濃度が再現されるように， 画素の潜像の面積やトナーが付着したドット面積が形成される。
【００２４】
また，スムージング処理におけるエッジ検出では，エッジ部分の画素を判別する階調閾値Ｖｔｈ０が最高階調値の２５５階調に設定される。よって，文字などエッジ部分が有効に検出され，所望のスムージング処理が行われる。
【００２５】
［トナーセーブモード動作］
図３は，画像処理ユニットの階調変換部におけるトナーセーブモード時での階調変換特性を示す図である。図３（Ａ）は，セーブ率が比較的小さい（例えばセーブ率０〜２０％）第１のトナーセーブモードでのＣＭＹとＫに対する変換特性を示し，図３（Ｂ）はセーブ率が比較的大きい（例えばセーブ率２０〜８０％）第２のトナーセーブモードでのＣＭＹとＫに対する変換特性を示している。
【００２６】
図３（Ａ）に示されるとおり，印刷ジョブに含まれるトナーセーブモードが比較的低いセーブ率の場合は，ＣＭＹの入力階調値は，入力階調０〜２５５において，一律に第１の抑制率ＳＶ１だけ減じられた抑制階調値Ｃ１，Ｍ１，Ｙ１に変換される。つまり，第１の抑制率ＳＶ１が２０％の場合は，通常動作時の変換特性ＣＮＶ１の出力階調値を８０％に減じた第１の変換特性ＣＮＶ１１で階調変換が行われる。それに対して，黒のトナーＫの入力階調値は，図２の通常動作時と同じ変換特性ＣＮＶ１で階調値Ｋ１に変換される。
【００２７】
このように，第１のトナーセーブモードでは，ＣＭＹのトナーは通常動作時の階調変換特性ＣＮＶ１を一律に第１の抑制率ＳＶ１だけ減じるように階調変換が行われる。よって，ＣＭＹのトナー量の比率は一定に保たれるので，色相は通常動作時と同じに維持され，彩度のみが低下する。また，Ｋトナーは通常動作時と同じ階調変換特性ＣＮＶ１で階調変換が行われるので，ＣＭＹのトナーに比較して黒，Ｋトナーの量は多めになる。その結果，自然画像の締まり（鮮明度）が良くなる。また，黒文字が中間階調にならないので文字品質の劣化がない。
【００２８】
ここで，ＣＭＹのカラートナーでは，階調変換前の入力値をＩｎ（０≦Ｉｎ≦２５５），階調変換後の出力値をＯｕｔ，抑制後のトナー量をrate[％]とすると，次の式により階調変換が行われる。ここで抑制率ＳＶ１は，ＳＶ１＝１００−rateである。
【００２９】
Ｏｕｔ＝Ｉｎ×（rate／100）        （１）
次に，図３（Ｂ）に示されるとおり，印刷ジョブに含まれるトナーセーブモードが比較的高いセーブ率の場合は，ＣＭＹの入力階調値は，入力階調０〜２５５において，一律に第２の抑制率ＳＶ２（＞ＳＶ１）だけ減じられた抑制階調値Ｃ１，Ｍ１，Ｙ１に変換される。つまり，第２の抑制率ＳＶ２が５０％の場合は，通常動作時の変換特性ＣＮＶ１の出力階調値を５０％に減じた第２の変換特性ＣＮＶ１２で階調変換が行われる。さらに，黒のトナーＫの入力階調値は，入力階調０〜２５５において，一律に，第２の抑制率ＳＶ２より小さい第３の抑制率ＳＶ３だけ減じられた抑制階調値Ｋ１に変換される。例えば，第２の抑制率ＳＶ２が５０％の場合は，第３の抑制率ＳＶ３が０〜５０％のうちのいずれかの割合，例えば３０％にされ，通常動作時の変換特性ＣＮＶ１の出力階調値を７０％に減じた第３の変換特性ＣＮＶ１３で階調変換が行われる。
【００３０】
つまり，ＣＭＹの入力階調値は，図３（Ｂ）左側の第２の変換特性ＣＮＶ１２で階調変換が行われ，Ｋの入力階調値は，図３（Ｂ）右側の第３の変換特性ＣＮＶ１３で階調変換が行われる。上記の式（１）において，第２の変換特性ＣＮＶ１２のrateが，第３の変換特性ＣＮＶ１３のrateよりも小さくなる。即ち，rate（CMY）＜rate（K）になる。
【００３１】
図３（Ｂ）の左側の変換特性において，ＣＭＹは，変換特性ＣＮＶ１２で階調値が減じられるが，その場合に，Ｋの変換特性は，通常時の変換特性ＣＮＶ１とＣＭＹの変換特性ＣＮＶ１２との間であれば，いずれの変換特性であってもよい。
【００３２】
図３（Ｂ）の右側には，第３の変換特性ＣＮＶ１３の変形例として，下に凸の変換特性ＣＮＶ１３ｘと，上に凸の変換特性ＣＮＶ１３ｙとが示されている。つまり，変換特性ＣＮＶ１３は，０〜２５５の入力階調値に対して一定の割合（直線的）で抑制して減じた抑制階調値を生成し，変換特性ＣＮＶ１３ｘは，下に凸の特性で抑制して減じた抑制階調値を生成し，変換特性ＣＮＶ１３ｙは，上に凸の特性で抑制して減じた抑制階調値を生成する。いずれも，入力階調値に対して抑制階調値は単調増加である。
【００３３】
リニアな変換特性ＣＮＶ１３の場合は，ＣＭＹによる有彩色とＫによる無彩色のバランスが最もよく，トナーの抑制量も平均的なものとすることができる。下に凸の変換特性ＣＮＶ１３ｘの場合は，暗部領域（高階調領域）ではＫトナー量が多めになるようにして画像の締まりを改善しながら，変換特性ＣＮＶ１３よりもＫトナーの抑制量を増加させることができる。そして，上に凸の変換特性ＣＮＶ１３ｙの場合は，Ｋトナーの抑制量としては低下するが，入力階調０〜２５５の全般においてＫトナー量が多めになるので画像における輪郭などのコントラストを高くすることができる。
【００３４】
さらに，上記のいずれの変換特性ＣＮＶ１３，ＣＮＶ１３ｘ，ＣＮＶ１３ｙにおいても，入力階調値に対して抑制階調値が単純増加であるので，Ｋトナーによる濃度の連続性が保持され，階調飛びや階調潰れによる画質劣化を抑えることができる。
【００３５】
図４は，本実施の形態におけるトナーセーブモードを説明する図である。図４において，横軸は印刷ジョブ毎に指示されるトナー抑制率０〜１００％に対応し，縦軸は抑制されたトナー量（式（１）のrate）０〜１００％に対応する。
【００３６】
指示されるトナー抑制率ＳＶが比較的低い第１のトナーセーブモードＭＯＤＥ１では，ＣＭＹのトナー量が第１の抑制率ＳＶ１で抑制され，Ｋのトナー量は抑制されない(rate＝１００％)。一方，指示されるトナー抑制率が第１のトナーセーブモードよりも高い第２のトナーセーブモードＭＯＤＥ２では，ＣＭＹのトナー量が第２の抑制率ＳＶ２で抑制され，Ｋのトナー量も第２の抑制率ＳＶ２よりは小さい第３の抑制率ＳＶ３で抑制される。
【００３７】
そして，いずれのトナーセーブモードでも，指示されるトナー抑制率ＳＶが高くなるに伴い，抑制されたトナー量rateはトナー抑制率ＳＶに対応して少なくなるように減じられる。
【００３８】
図４のように，トナーの抑制率が小さい領域から大きい領域において，ＣＭＹのトナー量とＫのトナー量とを，Ｋのトナー量がＣＭＹのトナー量よりも大きくなるようにして，ＣＭＹのトナー量を減じたことによる自然画像の画質の低下（締まりがなくなり不鮮明になる）を抑えることができ，黒の文字画像の画質低下を抑制することができる。したがって，より広い抑制率の要求に応えることができ，より大きなトナーセーブを実現することができる。
【００３９】
図５は，本実施の形態におけるスムージング処理を説明する図である。前述のとおり，スムージング処理は，階調値データＣ１，Ｍ１，Ｙ１，Ｋ１から文字画像などのエッジ部分を検出し，そのエッジ部分の形状をスムーズにするために行う画像処理である。図５（Ａ）は，階調値データが２５５の画素Ｐ１が検出され，その周りの画素の階調値と所定の基準値以上の階調差が検出された場合に，エッジ部分の画素と判定される例である。この場合，ぎざぎざのエッジの画素に画像データＱ１を追加し，エッジ形状をＲのようにスムーズにする。図５（Ａ）では，エッジ部分の画素Ｐ１を検出するために，階調閾値Ｖｔｈ０を２５５に設定している。
【００４０】
ところで，本実施の形態では，第１のトナーセーブモードではＣＭＹの階調値が抑制されるので，上記のエッジ検出を適切に行うために，その閾値Ｖｔｈ１を，第１のトナー抑制率ＳＶ１に対応した階調値（２５５×（１００−ＳＶ１）／１００）にする。即ち，図３（Ａ）の左の変換特性図に示される通りである。
【００４１】
同様に，第２のトナーセーブモードでは，ＣＭＹの階調値に加えてＫの階調値も抑制されるので，上記のエッジ検出を適切に行うために，その閾値Ｖｔｈ２，Ｖｔｈ３を，第２のトナー抑制率ＳＶ１，第３のトナー抑制率ＳＶ３に対応した階調値にする。即ち，図３（Ｂ）の左の変換特性図に閾値Ｖｔｈ２が，右の変換特性図に閾値Ｖｔｈ３がそれぞれ示されている。
【００４２】
図５（Ｂ）には，エッジ検出のための画素階調値の閾値を抑制した場合のスムージング処理が示されている。画素Ｐ１の階調値はトナーセーブにより抑制されているが，それに対応してエッジ検出のための閾値Ｖｔｈ１，２，３も抑制され，適切にエッジ部分の画素を検出することができる。そして，エッジ部分の形状をスムーズにするために，画像データＱ１を追加し，エッジ形状がＲのようにスムーズにされる。
【００４３】
このように，トナーの抑制率に応じてスムージング処理対象のエッジ検出の閾値も抑制させることで，適切にスムージング化することができる。よって，トナーセーブにより文字などの濃度はうすくなるがその輪郭は鮮明にされるので，画質の低下を抑制できる。
【００４４】
以上の通り，本実施の形態によれば，カラー画像形成装置において，トナー抑制率が小さい場合は，ＣＭＹのトナーのみ抑制しＫのトナーは抑制せず，トナー抑制率が大きい場合は，ＣＭＹのトナーの抑制に加えてＫのトナーも抑制し，且つＫトナーの抑制率をＣＭＹトナーの抑制率よりも小さくしているので，トナー量を広い範囲にわたって抑制制御することができ，且つ，トナー抑制率が小さい場合から大きい場合のいずれにおいてもトナーセーブによる画質の低下を極力抑えることができる。
【図面の簡単な説明】
【００４５】
【図１】本実施の形態におけるカラー画像形成装置の構成図である。
【図２】画像処理ユニットの階調変換部における通常動作時での階調変換特性を示す図である。
【図３】画像処理ユニットの階調変換部におけるトナーセーブモード時での階調変換特性を示す図である。
【図４】本実施の形態におけるトナーセーブモードを説明する図である。
【図５】本実施の形態におけるスムージング処理を説明する図である。
【符号の説明】
【００４６】
２００：プリンタ，カラー画像形成装置        ２１０：画像処理ユニット
２１５：階調変換部                          ２５０：印刷エンジン
２６０：現像ユニット                        ２６１〜２６４：トナーカートリッジ
２１６：ハーフトーン処理部（スムージング処理部内蔵）
【図１】
2008129110.tif 000003
【図２】
2008129110.tif 000004
【図３】
2008129110.tif 000005
【図４】
2008129110.tif 000006
【図５】
2008129110.tif 000007